(57)【要約】      （修正有）【課題】防水可能の手持ち式電動マッサージ具を提供する。【解決手段】ケーシング１０と、駆動モーター２０と、給電素子３０と、マッサージカバー４０とを有する。ケーシング１０は円形棒状で、シール蓋１１と管ケーシング１２と底面ケーシング１３を備え、管ケーシング１２の一端にシール蓋１１が設けられ、他端に突出１２４が形成され、底面ケーシング１３の外壁面に形成される定位槽１４を突出１２４に対向させることにより底面ケーシング１３を管ケーシング１２に挿入する。駆動モーター２０は、管ケーシング１２の収納空間１２１内に嵌設される。給電素子３０は、底面ケーシング１３の中空室１３１に実装される。マッサージカバー４０は、一端が椀状で外へ突縁４１が形成され、他端がシール蓋１１に収納される。【選択図】図２
0003180770.tif 000002
【実用新案登録請求の範囲】
【請求項１】
円形棒状で、シール蓋と管ケーシング及び底面ケーシングが設けられ、上記シール蓋において、蓋口に、シール縁が形成され、シール縁により、管ケーシングの一端が、完全に閉鎖され、また、シール蓋のもう一端に、凹み部が形成され、上記管ケーシングにおいて、シール蓋に隣接する一端に、収納空間が設けられ、また、もう一端に、制御室が連通され、上記収納空間と制御室との間に、段差部が形成され、上記制御室の内壁面に、少なくとも一つの突出が設けられ、上記底面ケーシングに、中空室が形成され、中空室の底部から、開口端へ導電シートが伸び、また、上記底面ケーシングにおいて、中空室開口の外壁面に、少なくとも一つの定位槽が形成され、上記底面ケーシングが、定位槽により、底面ケーシングの導電シート端を、管ケーシングの制御室に挿入して固定し、また、上記管ケーシングにおいて、定位槽の一側に、リング槽が形成され、リング槽に、止水ブッシュが実装され、止水ブッシュが、上記管ケーシングと底面ケーシングとの接触位置に挟まれるケーシングと、
管ケーシングの収納空間内に嵌設され、シール蓋のシール縁と管ケーシングの段差部により、挟まれて固定され、また、シール縁の内端から、スピンドルが伸び、スピンドルに、偏心ブロックが結合され、制御室に向かって、底面ケーシングの導電シートに接触可能の第一導電部と第二導電部とが形成される駆動モーターと、
底面ケーシングの中空室に実装され、第一電極と第二電極があり、上記第一電極が、駆動モーターの第二導電部に抵当し、上記第二電極が、底面ケーシングの導電シートに抵当する給電素子と、
一端が椀状で、外へ突縁が形成され、突縁が、中心へ向かって円弧状の弾性曲面に形成され、もう一端が、外へ突出して結合部が形成され、結合部が、シール蓋の凹み部に嵌設されて、ケーシングとマッサージカバーの突縁面とが、垂直に設置されるマッサージカバーと、
が含有される、
ことを特徴とする防水可能の手持ち式電動マッサージ具。
【請求項２】
上記管ケーシングにおいて、制御室の外壁面に、操作インターフェースが形成され、上記底面ケーシングが、導電シートと駆動モーターの第一導電部とを接触させるように、操作インターフェースによって制御されることを特徴とする請求項１に記載の防水可能の手持ち式電動マッサージ具。
【請求項３】
上記管ケーシングの操作インターフェースに、ＣＬＯＳＥやＯＰＥＮの位置と、ＯＦＦ位置やＯＮ位置とがあり、上記底面ケーシングの定位槽が、Ｌ文字状凹槽であり、二つの凸条で、ＣＬＯＳＥとＯＰＥＮの対応する槽、そして、ＯＦＦ対応槽とＯＮ対応槽が、隔離され、また、上記底面ケーシングの導電シートが、ＣＬＯＳＥとＯＰＥＮの位置に対向して、管ケーシングに挿設されることができ、管ケーシングの突出が、定位槽のＣＬＯＳＥやＯＰＥＮの対応槽に嵌入でき、突出が、ＯＦＦの対応槽に位置する状態である場合、上記導電シートが、操作インターフェースのＯＦＦ位置に対向し、また、上記突出が、ＯＮの対応槽に位置する状態である場合、上記導電シートが、操作インターフェースのＯＮ位置に対向し、導電シートと第一導電部とを接触させることを特徴とする請求項２に記載の防水可能の手持ち式電動マッサージ具。
【請求項４】
上記シール蓋の凹み部に、固定槽が形成され、上記マッサージカバーにおいて、結合部に、スルーホールが形成され、固定ピンをスルーホールに貫設することにより、固定槽と係合して、マッサージカバーとシール蓋とが結合されて固定されることを特徴とする請求項１に記載の防水可能の手持ち式電動マッサージ具。
【請求項５】
上記シール蓋のシール縁が、管ケーシングに粘着されて固定されることを特徴とする請求項１に記載の防水可能の手持ち式電動マッサージ具。
【請求項６】
上記シール蓋のシール縁が、管ケーシングに高周波熱処理によって結合されることを特徴とする請求項１に記載の防水可能の手持ち式電動マッサージ具。
【請求項７】
上記底面ケーシングの外表面に、指示矢印が形成され、上記指示矢印が、導電シートの位置を指示することを特徴とする請求項１に記載の防水可能の手持ち式電動マッサージ具。
【考案の詳細な説明】
【技術分野】
【０００１】
本考案は、健康器具構造に関し、特に、顔部マッサージの防水可能の手持ち式電動マッサージ具に関する。
【背景技術】
【０００２】
従来の顔部マッサージ具は、殆ど、電力によってモーターが駆動され、モーターの偏心軸により、動揺や振動の効果が実現され、また、偏心軸に、マッサージカバーが連結され、マッサージカバーが、同期に、顔部をマッサージすることができ、これにより、顔部の血液循環を促進し、肌の血液循環が実現されるが、上記の従来構造は、上記の従来の顔部マッサージ具が、モーターでマッサージを行うため、マッサージ具に、外部電源や内蔵電池をしなければマッサージをできなく、また、上記電器製品には、漏電や短絡の故障問題が発生する恐れがあり、また、多い人が、顔部マッサージを行う時、顔に乳剤や潤滑液等の液体製品を塗布し、健康器具に、防水効果がない場合、健康器具が、水により漏電する恐れがあり、ユーザーが安心に使用することができなく、また、使用後、清水で直接に洗うことができなく、清浄に不便であり、実用的なものとは言えない。
【０００３】
本考案者は、上記欠点を解消するため、慎重に研究し、また、学理を活用して、有効に上記欠点を解消でき、設計が合理である本考案を提案する。
【考案の開示】
【考案が解決しようとする課題】
【０００４】
本考案の主な目的は、そのケーシングのシール蓋と管ケーシングが、粘着や高周波熱処理によって永久的にシール固定され、これにより、シール蓋と管ケーシングとの間において、防漏効果が得られ、また、上記底面ケーシングのリング槽に、止水ブッシュが実装され、止水ブッシュによって管ケーシングと底面ケーシングとの間に挟まれ、更に、管ケーシングと底面ケーシングとの間においえ、防漏効果が得られ、ケーシングが、完全に、駆動モーターと給電素子とを覆うことにより、防水機能が実現され、そのため、顔の乳剤や潤滑液が、ケーシング内へ進入することなく、清水で直接に清浄でき、漏電や故障の恐れがなく、実用性が向上される防水可能の手持ち式電動マッサージ具を提供する。
【０００５】
本考案の他の目的は、ケーシングが、円形棒状で、上記ケーシングが、マッサージカバーの突縁面に垂直するように、設置され、ケーシングの体積が、ユーザーの手部より小さいように設計され、手部で、より容易に持って操作でき、また、上記のように、ケーシングを利用して、駆動モーターと給電素子を実装し、同時に、操作機能が実現され、マッサージカバーが、ケーシングのシール蓋に組立てられると、振動マッサージの機能が実現され、これにより、軽量化の実用機能が実現され、ユーザーが、使用する時、圧迫感がなく、長い時間に使用しても、疲れない防水可能の手持ち式電動マッサージ具を提供する。
【０００６】
本考案の更に他の目的は、その管ケーシングが、制御室内部において、突出が形成され、上記底面ケーシングに、定位槽が設置され、上記管ケーシングの突出と底面ケーシングの定位槽とを利用して、組立てや操作の機能が実現され、また、操作インターフェースの直接提示により、有効的に、ユーザーが、目で確認しながら操作でき、使用便利性が向上される防水可能の手持ち式電動マッサージ具を提供する。
【課題を解決するための手段】
【０００７】
請求項１の考案は、円形棒状で、シール蓋と管ケーシング及び底面ケーシングが設けられ、上記シール蓋において、蓋口に、シール縁が形成され、シール縁により、管ケーシングの一端が、完全に閉鎖され、また、シール蓋のもう一端に、凹み部が形成され、上記管ケーシングにおいて、シール蓋に隣接する一端に、収納空間が設けられ、また、もう一端に、制御室が連通され、上記収納空間と制御室との間に、段差部が形成され、上記制御室の内壁面に、少なくとも一つの突出が設けられ、上記底面ケーシングに、中空室が形成され、中空室の底部から、開口端へ導電シートが伸び、また、上記底面ケーシングにおいて、中空室開口の外壁面に、少なくとも一つの定位槽が形成され、上記底面ケーシングが、定位槽により、底面ケーシングの導電シート端を、管ケーシングの制御室に挿入して固定し、また、上記管ケーシングにおいて、定位槽の一側に、リング槽が形成され、リング槽に、止水ブッシュが実装され、止水ブッシュが、上記管ケーシングと底面ケーシングとの接触位置に挟まれるケーシングと、管ケーシングの収納空間内に嵌設され、シール蓋のシール縁と管ケーシングの段差部により、挟まれて固定され、また、シール縁の内端から、スピンドルが伸び、スピンドルに、偏心ブロックが結合され、制御室に向かって、底面ケーシングの導電シートに接触可能の第一導電部と第二導電部とが形成される駆動モーターと、底面ケーシングの中空室に実装され、第一電極と第二電極があり、上記第一電極が、駆動モーターの第二導電部に抵当し、上記第二電極が、底面ケーシングの導電シートに抵当する給電素子と、一端が椀状で、外へ突縁が形成され、突縁が、中心へ向かって円弧状の弾性曲面に形成され、もう一端が、外へ突出して結合部が形成され、結合部が、シール蓋の凹み部に嵌設されて、ケーシングとマッサージカバーの突縁面とが、垂直に設置されるマッサージカバーと、が含有される、ことを特徴とする防水可能の手持ち式電動マッサージ具である。
【０００８】
請求項２の考案は、上記管ケーシングにおいて、制御室の外壁面に、操作インターフェースが形成され、上記底面ケーシングが、導電シートと駆動モーターの第一導電部とを接触させるように、操作インターフェースによって制御されることを特徴とする請求項１に記載の防水可能の手持ち式電動マッサージ具である。
【０００９】
請求項３の考案は、上記管ケーシングの操作インターフェースに、ＣＬＯＳＥやＯＰＥＮの位置と、ＯＦＦ位置やＯＮ位置とがあり、上記底面ケーシングの定位槽が、Ｌ文字状凹槽であり、二つの凸条で、ＣＬＯＳＥとＯＰＥＮの対応する槽、そして、ＯＦＦ対応槽とＯＮ対応槽が、隔離され、また、上記底面ケーシングの導電シートが、ＣＬＯＳＥとＯＰＥＮの位置に対向して、管ケーシングに挿設されることができ、管ケーシングの突出が、定位槽のＣＬＯＳＥやＯＰＥＮの対応槽に嵌入でき、突出が、ＯＦＦの対応槽に位置する状態である場合、上記導電シートが、操作インターフェースのＯＦＦ位置に対向し、また、上記突出が、ＯＮの対応槽に位置する状態である場合、上記導電シートが、操作インターフェースのＯＮ位置に対向し、導電シートと第一導電部とを接触させることを特徴とする請求項２に記載の防水可能の手持ち式電動マッサージ具である。
【００１０】
請求項４の考案は、上記シール蓋の凹み部に、固定槽が形成され、上記マッサージカバーにおいて、結合部に、スルーホールが形成され、固定ピンをスルーホールに貫設することにより、固定槽と係合して、マッサージカバーとシール蓋とが結合されて固定されることを特徴とする請求項１に記載の防水可能の手持ち式電動マッサージ具である。
【００１１】
請求項５の考案は、上記シール蓋のシール縁が、管ケーシングに粘着されて固定されることを特徴とする請求項１に記載の防水可能の手持ち式電動マッサージ具である。
【００１２】
請求項６の考案は、上記シール蓋のシール縁が、管ケーシングに高周波熱処理によって結合されることを特徴とする請求項１に記載の防水可能の手持ち式電動マッサージ具である。
【００１３】
請求項７の考案は、上記底面ケーシングの外表面に、指示矢印が形成され、上記指示矢印が、導電シートの位置を指示することを特徴とする請求項１に記載の防水可能の手持ち式電動マッサージ具である。
【００１４】
以下、図面を参照しながら、本考案の特徴や技術内容について、詳しく説明するが、それらの図面等は、参考や説明のためであり、本考案は、それによって制限されることが無い。
【考案を実施するための最良の形態】
【００１５】
図１乃至図３のように、本考案は、ケーシング１０と駆動モーター２０、給電素子３０及びマッサージカバー４０があり、上記ケーシング１０は、円形棒状で、シール蓋１１と管ケーシング１２及び底面ケーシング１３が設置され、シール蓋１１において、蓋口に、管ケーシング１２の一端を完全に閉鎖するシール縁１１１が形成され、シール蓋１１のもう一端に、凹み部１１２が形成され、また、上記閉鎖が、粘着固定や高周波熱処理によって結合され、これにより、シール蓋１１と管ケーシング１２との防漏機能が実現され、上記管ケーシング１２において、シール蓋１１に隣接する一端に、収納空間１２１が設けられ、もう一端に、制御室１２２が連通され、また、上記収納空間１２１と制御室１２２との間に、段差部１２３が形成され、上記制御室１２２において、内壁面に、少なくとも一つの突出１２４が形成され、底面ケーシング１３に、中空室１３１が形成され、中空室１３１は、底部から、開口端へ導電シート１３２が伸び、また、上記底面ケーシング１３は、中空室１３１の開口の外壁面に、少なくとも一つの定位槽１４が形成され、上記底面ケーシング１３が、定位槽１４を突出１２４に合わせて、底面ケーシング１３の導電シート１３２端が、管ケーシング１２の制御室１２２に挿入されて固定され、上記底面ケーシング１３は、外表面に、指示矢印１３４が形成され、上記指示矢印１３４により、導電シート１３２の位置が指示され、指示矢印１３４を利用して、底面ケーシング１３の外表面で、導電シート１３２の相対位置を判断でき、また、上記管ケーシング１２は、定位槽１４の一側に、リング槽１３３が形成され、リング槽１３３内に、止水ブッシュ１５が実装され、止水ブッシュ１５が、上記管ケーシング１２と底面ケーシング１３との接触位置に設置されることにより、管ケーシング１２と底面ケーシング１３との間において、防漏効果が得られ、駆動モーター２０が、管ケーシング１２の収納空間１２１内に嵌設されて、シール蓋１１のシール縁１１１と管ケーシング１２の段差部１２３とにより挟まれて固定され、駆動モーター２０が、シール蓋１１内端に、スピンドル２１が伸び、スピンドル２１に、偏心ブロック２２が結合され、駆動モーター２０のスピンドル２１により、偏心ブロック２２が連動されて、シール蓋１１内において、回転や振動の効果が実現され、また、上記駆動モーター２０において、制御室１２２へ向かう第一導電部２３と第二導電部２４が形成され、駆動モーター２０の第一導電部２３が、底面ケーシング１３の導電シート１３２に接触することができ、給電素子３０が、底面ケーシング１３の中空室１３１に実装され、上記給電素子３０に、駆動モーター２０の第二導電部２４に抵当できる第一電極３１と、底面ケーシング１３の導電シート１３２に抵当できる第二電極３２とがあり、また、上記管ケーシング１２は、制御室１２２の外壁面に、操作インターフェース１６が形成され、上記底面ケーシング１３は、操作インターフェース１６に従って、導電シート１３２と駆動モーター２０の第一導電部２３との接触を制御でき、図４と図５のように、上記管ケーシング１２の操作インターフェース１６に、ＣＬＯＳＥとＯＰＥＮ位置１６１及びＯＦＦ位置１６２とＯＮ位置１６３があり、上記底面ケーシング１３の定位槽１４が、Ｌ文字状凹槽で、二つの凸条１４１によりＣＬＯＳＥとＯＰＥＮ対応槽１４２、ＯＦＦ対応槽１４３とＯＮ対応槽１４４を間隔し、また、上記底面ケーシング１３の導電シート１３２が、ＣＬＯＳＥとＯＰＥＮ位置１６１に対向することにより、管ケーシング１２に挿設することができ、管ケーシング１２の突出１２４が、定位槽１４のＣＬＯＳＥやＯＰＥＮ対応槽１４２に位置することができ、突出１２４がＯＦＦ対応槽１４３に位置する状態下、上記導電シート１３２が操作インターフェース１６のＯＦＦ位置１６２に位置し、また、上記突出１２４がＯＮ対応槽１４４に位置する状態下、上記導電シート１３２が操作インターフェース１６のＯＮ位置１６３に位置することにより、導電シート１３２が、第一導電部２３に接触し、操作インターフェース１６の表示により、ユーザーによる組立てや起動及び遮断の操作が援助され、使用上、より便利的になり、マッサージカバー４０は、一端が椀状で、外へ突縁４１が形成され、突縁４１が、中心へ向かって円弧状の弾性曲面４１１に形成され、もう一端が外へ突出して結合部４２が形成され、結合部４２が、シール蓋１１の凹み部１１２に嵌設されて、また、上記シール蓋１１の凹み部１１２に、固定槽１１３が形成され、上記マッサージカバー４０において、結合部４２に、スルーホール４２１が形成され、固定ピン４３をスルーホール４２１に貫設することにより、固定槽１１３に係合されて、マッサージカバー４０とシール蓋１１とが、結合されて固定され、これにより、ケーシング１０が、マッサージカバー４０の突縁４１面に垂直するように設置され、そのため、手部で、より容易に握って操作できる。
【００１６】
本考案によれば、図１乃至図３のように、上記ケーシング１０は、シール蓋１１と管ケーシング１２及び底面ケーシング１３から、棒状に形成され、上記駆動モーター２０が、管ケーシング１２の収納空間１２１内に実装され、駆動モーター２０の第一導電部２３と第二導電部２４とが、ともに、管ケーシング１２の制御室１２２に収納され、上記駆動モーター２０は、スピンドル２１端に、偏心ブロック２２が実装され、シール蓋１１が、駆動モーター２０の偏心ブロック２２に覆われ、シール蓋１１のシール縁１１１と管ケーシング１２の段差部１２３とにより、はさまれて固定され、また、粘着や高周波熱により、シール縁１１１が、管ケーシング１２に固定され、これにより、シール蓋１１と管ケーシング１２との間において、防水効果が得られ、また、上記給電素子３０は、第二電極３２端が底面ケーシング１３の中空室１３１内に設置され、第二電極３２と導電シート１３２とが、互いに接触でき、まあ、底面ケーシング１３のリング槽１３３に、止水ブッシュ１５が実装され、底面ケーシング１３を管ケーシング１２に組み立てる時、まず、底面ケーシング１３の定位槽１４を、管ケーシング１２の突出１２４に対向させ、突出１２４を定位槽１４に位置することにより、嵌設され、また、底面ケーシング１３を回転することにより、突出１２４が定位槽１４に係止され、それとともに、給電素子３０の第一電極３１端が、駆動モーター２０の第二導電部２４に接触でき、以上のように、ケーシング１０と駆動モーター２０及び給電素子３０が組立てられ、また、上記マッサージカバー４０は、結合部４２を、シール蓋１１の凹み部１１２に組立て、固定ピン４３を結合部４２のスルーホール４２１に貫設することにより、シール蓋１１の固定槽１１３に係合されて固定され、組立てが終了される。
【００１７】
本考案によれば、図２と図４及び図５のように、底面ケーシング１３を、管ケーシング１２に組み立てる時、ユーザーが、目で操作インターフェース１６のＣＬＯＳＥやＯＰＥＮ位置１６１を観察しながら、底面ケーシング１３の導電シート１３２を管ケーシング１２に対向させることができ、そのため、簡単に、定位槽１４のＣＬＯＳＥやＯＰＥＮ対応槽１４２を、突出１２４に対向させることができ、これにより、管ケーシング１２と底面ケーシング１３とが、互いに挿設され、図６と図７のように、底面ケーシング１３を管ケーシング１２に挿入した後、ユーザーが、更に、操作インターフェース１６の指示に従って、底面ケーシング１３を回転して、指示矢印１３４をＯＦＦ位置１６２に回転させ、管ケーシング１２の突出１２４が、定位槽１４の凸条１４１を越えてＯＦＦ対応槽１４３に位置付け、これにより、管ケーシング１２と底面ケーシング１３とが、結合されて固定され、また、駆動モーター２０が、起動していない状態に維持され、また、本考案を利用する時、図８と図９のように、ユーザーが、操作インターフェース１６に基づいて、再び、底面ケーシング１３を回転して指示矢印１３４を、ＯＮ位置１６３へ回転するように、制御でき、それとともに、底面ケーシング１３の導電シート１３２と駆動モーター２０の第一導電部２３とが、接触され、給電素子３０の第二電極３２が、導電シート１３２を介して、間接的に駆動モーター２０に連通され、駆動モーター２０を駆動でき、駆動モーター２０のスピンドル２１が、回転され、偏心ブロック２２が連動され、偏心ブロック２２が、シール蓋１１内において、快速的に偏心回転して振動効果を発生し、また、突出１２４が、相対的に、定位槽１４のＯＮ対応槽１４４に変位でき、突出１２４と定位槽１４とを利用して、駆動モーター２０が起動状態の位置制限効果が実現され、上記構造の操作過程において、上記管ケーシング１２の突出１２４と底面ケーシング１３の定位槽１４とを合わせて、組立てや操作の機能が実現され、また、操作インターフェース１６の提示を直接に観察することにより、有効的に、ユーザーが、目で観察しながら操作でき、使用便利性が向上される。
【００１８】
図２と図１０のように、本考案のケーシング１０は、円形棒状で、上記ケーシング１０が、マッサージカバー４０の突縁４１面に垂直するように設置されることができ、また、ケーシング１０の体積が、ユーザーの手部より小さいように設計され、手部で、より容易に握って操作でき、また、上記ケーシング１０により、駆動モーター２０と給電素子３０とが実装され、また、それとともに、操作機能が実現され、マッサージカバー４０をケーシング１０のシール蓋１１に組立てると、振動マッサージの機能が実現され、これにより、軽量化の実用機能が実現され、ユーザーが、使用する時、圧迫感がなく、長い時間に使用しても、疲れることなく、また、本考案を実際に使用する場合、図１１のように、手で、ケーシング１０を握って、マッサージカバー４０を、ユーザーの顔部に当たり、顔部とマッサージカバー４０の突縁４１とが、自然的に抵当させ、また、突縁４１の弾性曲面４１１で弾性調整を行い、マッサージカバー４０と顔部とが、面状に接触させ、そのため、振動マッサージ過程において、痛める不快適感がなく、また、駆動モーター２０を駆動した後、偏心ブロック２２の偏心回転により、振動効果が実現され、これにより、直接に振動をマッサージカバー４０へ伝達でき、マッサージカバー４０の弾性曲面４１１を介して、ユーザー顔部に対して、マッサージを行うと、ユーザーが、マッサージの快適感を感じでき、また、顔部の血液循環を促進する効果が得られ、また、上記マッサージカバー４０の結合部４２とケーシング１０のシール蓋１１とが、直接に分離でき、マッサージカバー４０の交換機能が実現され、この時、ユーザーが、より大きいサイズのマッサージカバー４０を選択すれば、マッサージカバー４０を胸に当たって、胸部マッサージの他の機能が実現され、本考案の他の効果が、防水効果であり、上記ケーシング１０のシール蓋１１と管ケーシング１２とが、粘着や高周波熱処理により、永久的にシールされて固定され、これにより、シール蓋１１と管ケーシング１２との間において、防漏効果が得られ、また、上記底面ケーシング１３のリング槽１３３に、止水ブッシュ１５が実装され、止水ブッシュ１５が、管ケーシング１２と底面ケーシング１３との間に挟まれることにより、更に、管ケーシング１２と底面ケーシング１３との間の防漏効果が実現され、ケーシング１０により、駆動モーター２０と給電素子３０とが完全に覆われることにより、防水機能が実現され、そのため、顔から、乳剤や潤滑液が、ケーシング１０内へ浸入する恐れがなく、また、清水で、直接に清浄でき、漏電や故障の恐れが解消され、実用性がより向上される。
【００１９】
そのため、本考案は、より進歩的かつより実用的で、法に従って実用新案登録請求を出願する。
【００２０】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【図面の簡単な説明】
【００２１】
【図１】本考案の立体図
【図２】本考案の立体分解図
【図３】本考案の側面断面図
【図４】本考案のＣＬＯＳＥやＯＰＥＮ位置の状態の概念図
【図５】本考案のＣＬＯＳＥやＯＰＥＮ位置の状態の断面図
【図６】本考案のＯＦＦ位置の概念図
【図７】本考案のＯＦＦ位置の断面図
【図８】本考案のＯＮ位置の概念図
【図９】本考案のＯＮ位置の断面図
【図１０】本考案の作動図
【図１１】本考案の使用状態図
【符号の説明】
【００２２】
１０  ケーシング
１１  シール蓋
１１１  シール縁
１１２  凹み部
１１３  固定槽
１２  管ケーシング
１２１  収納空間
１２２  制御室
１２３  段差部
１２４  突出
１３  底面ケーシング
１３１  中空室
１３２  導電シート
１３３  リング槽
１３４  指示矢印
１４  定位槽
１４１  凸条
１４２  ＣＬＯＳＥとＯＰＥＮ対応槽
１４３  ＯＦＦ対応槽
１４４  ＯＮ対応槽
１５  止水ブッシュ
１６  操作インターフェース
１６１  ＣＬＯＳＥとＯＰＥＮ位置
１６２  ＯＦＦ位置
１６３  ＯＮ位置
２０  駆動モーター
２１  スピンドル
２２  偏心ブロック
２３  第一導電部
２４  第二導電部
３０  給電素子
３１  第一電極
３２  第二電極
４０  マッサージカバー
４１  突縁
４１１  弾性曲面
４２  結合部
４２１  スルーホール
４３  固定ピン
【図１】
0003180770.tif 000003
【図２】
0003180770.tif 000004
【図３】
0003180770.tif 000005
【図４】
0003180770.tif 000006
【図５】
0003180770.tif 000007
【図６】
0003180770.tif 000008
【図７】
0003180770.tif 000009
【図８】
0003180770.tif 000010
【図９】
0003180770.tif 000011
【図１０】
0003180770.tif 000012
【図１１】
0003180770.tif 000013